(57)【要約】【課題】簡単な構成で装飾性の高い装飾壁を構成できる。【解決手段】複数の壁パネル１を並べてはめ込み突部２とはめ込み段落部３とをはめ込み且つはめ込み突部２に取付けた目地モール材４の側面に隣接する壁パネル１の側端面部の前側半部を当接する。並設した複数の壁パネル１の周囲を２種類の見切り材５で囲む。１種類の見切り材５ａの側面の前側半部を隣接する壁パネル１の目地モール材４の側面に当接する。他の１種類の見切り材５ｂの側面の後半部を外側方に突出してはめ込み突部２’を形成すると共に該はめ込み突部２’の前面の突出基部側半部に目地モール材４’を取付ける。はめ込み突部２’を隣接する壁パネル１のはめ込み用段落部３にはめ込むと共にはめ込み突部２’に取付けた目地モール材４’の側面に隣接する壁パネル１の側端面部の前側半部を当接する。【選択図】        図１
2004257094.tif 000002
【特許請求の範囲】
【請求項１】
正方形又は長方形状をした壁パネルの隣接する２辺の側端面部の後側半部を外側方に突出してはめ込み突部を形成すると共に他の隣接する２辺の側端面部の後側半部を内側方に切欠してはめ込み突部がはめ込まれるはめ込み用段落部を形成し、はめ込み突部の前面の突出基部側半部に目地モール材を取付け、複数の壁パネルを並べてはめ込み突部とはめ込み段落部とをはめ込むように隣接する壁パネル同士を連結すると共にはめ込み突部に取付けた目地モール材の側面に隣接する壁パネルの側端面部の前側半部を当接し、並設した複数の壁パネルの周囲を２種類の見切り材で囲み、１種類の見切り材の側面の前側半部を隣接する壁パネルの目地モール材の側面に当接し、他の１種類の見切り材の側面の後半部を外側方に突出してはめ込み突部を形成すると共に該はめ込み突部の前面の突出基部側半部に目地モール材を取付け、はめ込み突部を隣接する壁パネルのはめ込み用段落部にはめ込むと共にはめ込み突部に取付けた目地モール材の側面に隣接する壁パネルの側端面部の前側半部を当接して成ることを特徴とする装飾壁。
【請求項２】
目地モール材を弾性を有する部材により形成し、該目地モール材をはめ込み突部の突出方向とほぼ平行な方向に弾性的に伸縮可能に取付けて目地モール材の側面に隣接する壁パネルの側端面の前側半部を弾接して成ることを特徴とする請求項１記載の装飾壁。
【発明の詳細な説明】
【発明の属する技術分野】
本発明は、壁面の一部を装飾するための装飾壁に関するものである。
【従来の技術】
壁面の一部を装飾するための装飾壁として、従来から壁パネルと壁パネルとを連結板を介して連結し、複数の壁パネル、連結板の上端縁部に沿って見切り材を取付けるようにした装飾壁が知られている。（例えば特許文献１参照）
ところが上記の従来例にあっては、壁パネルと連結板との目地部分、あるいは、壁パネルや連結板と見切り材との目地部分は単に部材同士を突き合わせているだけなので、装飾壁としての装飾性が乏しいという問題があり、更に、装飾壁を構成する各部材の伸縮により、上記各目地部分に目すき、突き上げ等が生じるという問題がある。
そこで、各部材を接続した後に、目地部分に弾性を有する目地モール材をはめ込むことも考えられるが、これだと、現場施工で目地モール材のはめ込み作業が必要であり、また、目地モール材の取付けも確実にできないという問題がある。
【特許文献１】
特開平８−１１４０１８号公報
【発明が解決しようとする課題】
本発明は上記の点に鑑みてなされたものであり、簡単な構成で装飾性の高い装飾壁を構成でき、しかも、装飾壁を構成する各部材の伸縮により目すきや突き上げ等が生じることがなく、さらに、現場施工も容易に行える装飾壁を提供することを課題とするものである。
【課題を解決するための手段】
上記課題を解決するために本発明に係る装飾壁は、正方形又は長方形状をした壁パネル１の隣接する２辺の側端面部の後側半部を外側方に突出してはめ込み突部２を形成すると共に他の隣接する２辺の側端面部の後側半部を内側方に切欠してはめ込み突部２がはめ込まれるはめ込み用段落部３を形成し、はめ込み突部２の前面の突出基部側半部に目地モール材４を取付け、複数の壁パネル１を並べてはめ込み突部２とはめ込み段落部３とをはめ込むように隣接する壁パネル１同士を連結すると共にはめ込み突部２に取付けた目地モール材４の側面に隣接する壁パネル１の側端面部の前側半部を当接し、並設した複数の壁パネル１の周囲を２種類の見切り材５で囲み、１種類の見切り材５ａの側面の前側半部を隣接する壁パネル１の目地モール材４の側面に当接し、他の１種類の見切り材５ｂの側面の後半部を外側方に突出してはめ込み突部２’を形成すると共に該はめ込み突部２’の前面の突出基部側半部に目地モール材４’を取付け、はめ込み突部２’を隣接する壁パネル１のはめ込み用段落部３にはめ込むと共にはめ込み突部２’に取付けた目地モール材４’の側面に隣接する壁パネル１の側端面部の前側半部を当接して成ることを特徴とするものである。
このような構成とすることで、壁パネル１を複数枚並べて接続するとともに周囲を見切り材５で囲む作業を行うのみで、壁パネル１間、壁パネル１と周囲の見切り材５との目地部分に目地モール材４、４’が存在するような構成にできる。また、目地モール材４、４’を弾性を有する部材により形成し、該目地モール材４、４’をはめ込み突部２、２’の突出方向とほぼ平行な方向に弾性的に伸縮可能に取付けて該目地モール材４、４’の側面に隣接する壁パネル１の側端面の前側半部を弾接することが好ましい。
このような構成とすることで、装飾壁を構成する部材である壁パネル１や見切り材５が伸縮しても弾性を有する目地モール材４、４’が弾性的に伸縮して目地部分に目すきや突き上げが生じないようにできるものである。
【発明の実施の形態】
以下、本発明を添付図面に示す実施形態に基づいて説明する。
壁パネル１は前面から見て正方形又は長方形状をしており、該正方形又は長方形状をした壁パネル１の直角に隣接する２辺の側端面部は後側半部を全長にわたって外側方に突出してはめ込み突部２を形成してあり、他の残りの直角に隣接する２辺の側端面部は後側半部を全長にわたって内側方に切欠して上記はめ込み突部２がはめ込まれるはめ込み用段落部３が形成してある。
はめ込み突部２の外側方への突出長さははめ込み用段部３の内側方への段落深さの略２倍の長さとなっている。
はめ込み突部２の前面の突出基部側半部には図４に示すように目地モール材４が取付けてある。各はめ込み突部２に沿って取付けた目地モール材４の一端部ははめ込み突部２が直角に交差する部分では直角に交差し且つ直角に交差する部分と反対側の端部においては、壁パネル１の側端まで至っている。このはめ込み突部２は弾性を有する材料により形成してある。
見切り材５は長尺の角棒状をしたもので、この見切り材５としては図５に示すように目地モール材４’を取付けない見切り材５ａと目地モール材４’を取付けた見切り材５ｂとの２種類がある。
目地モール材４’を取付けた見切り材４ｂは一側面の後半部を全長にわたって外側方に突出してはめ込み突部２’を形成してあり、このはめ込み突部２’の前面の突出基部側半部に全長にわたって目地モール材４’を取付けてある。見切り材４ｂの側端面部から突設したはめ込み突部２’の突出長さは上記壁パネル１の側端面部から突出したはめ込み突部２の突出長さと同じ長さとなってる。また、この目地モール材４’も弾性を有する材料により形成してある。
上記のような構成の各部材を用いて壁面１０の一部に飾り壁を形成するのであるが、壁面１０に複数の壁パネル１を上下方向、左右方向に並設して釘、接着剤等により取付ける。ここで、形成しようとする飾り壁の下端が床面１２に当接するものの場合に壁パネル１は目地モール材４を前面に取付けたはめ込み突部２が上方及び一側方を向くように配置して施工する。このように複数の壁パネル１を壁面１０に並設して取付けた状態で、隣接する壁パネル１同士は、はめ込み突部２とはめ込み段落部３とをはめ込むと共にはめ込み突部２に取付けた目地モール材４の側面に隣接する壁パネル１の側端面部の前側半部を当接してある。
上記のように壁面１０の任意の位置に複数の壁パネル１を取付けて複数の並設した壁パネル１により飾り壁本体１１を形成するのであるが、この複数の壁パネル１を並設した飾り壁本体１１の外周の４辺のうち、２辺（図１、図２に示す実施形態では上辺と右側辺）に目地モール材４付きのはめ込み突部２が存在することになる。そこで、この飾り壁本体１１の４辺のうち目地モール材４を取付けたはめ込み突部２はあらかじめ他のはめ込み突部２よりも突出長さを略１／２にしておくか、あるいは現場で突出長さを略１／２となるように切断して目地モール材４の側端面とはめ込み突部２の側端面とを面一または目地モール材４の側端面がはめ込み突部２より少し外側方に突出するようにする。
上記のように壁面１０に部分的に形成した飾り壁本体１１の周囲には上記した２種類の見切り材５で囲み、該見切り材５を壁面１に取付ける。
ここで、飾り壁本体１１の４辺のうち目地モール材４付きのはめ込み突部２が存在しない辺には目地モール材４’付きのはめ込み突部２’を有する見切り材５ｂを配設するのであるが、図１に示す実施形態においては下辺が床面１２に当接しているので、この部分には見切り材５ｂを配設せず、左側辺のみに目地モール材４’付きのはめ込み突部２’を有する見切り材５ｂを配設する。この目地モール材４’付きのはめ込み突部２’を有する見切り材５ｂは、図３に示すようにはめ込み突部２’を隣接する壁パネル１のはめ込み段落部３にはめ込むと共にはめ込み突部２’の前面に取付けた目地モール材４’の側面に隣接する壁パネル１の側端面部の前側半部を当接する。
一方、飾り壁本体１１の４辺のうち目地モール材４付きのはめ込み突部２が存在する２辺（図１、図２では上辺と右側辺）には目地モール材４’を取付けない見切り材５ａを配置して該見切り材５ａの側面の前側半部を隣接する壁パネル１の目地モール材４の側面に当接した状態で釘、接着剤等により見切り材５ａを壁面１０に取付けるものである。
このようにして壁面１０の一部に複数の壁パネル１を並設した飾り壁本体１１の周囲を見切り材５で囲んだ飾り壁Ａを構成する。この飾り壁Ａは使用する壁パネル１の上下方向、左右方向の枚数を任意に選択することで、任意の大きさの飾り壁Ａを形成できるものである。そして、このように任意の大きさに形成される飾り壁Ａは、あらかじめ壁パネル１のはめ込み突部２、見切り材５ｂのはめ込み突部２’に目地モール材４、４’を取付けてあることで、壁パネル１を複数枚並べて接続するとともに周囲を見切り材５で囲む作業を行うのみで、同時に壁パネル１間、壁パネル１と周囲の見切り材５との目地部分に目地モール材４、４’が存在するような構成にできるものである。
目地モール材４、４’は弾性を有しているため、飾り壁Ａを構成する各部材（壁パネル１、見切り材５）が伸縮しても該弾性を有する目地モール材４、４’がこれを吸収するので、目地部分において目すきや突き上げを防止できるものである。
ここで、弾性を有する目地モール材４、４’を壁パネル１、見切り材５ｂに固定するに当たり、弾性を有する目地モール材４、４’がはめ込み突部２、２’の突出方向とほぼ平行な方向に伸縮可能となるように目地モール材４、４’の一部を壁パネル１、見切り材５ｂに接着して固定するのが好ましいものである。すなわち、図７、図８、図９において符号３０で示す太線部分が目地モール材４、４’の一部をはめ込み突部２、２’に接着剤により固着した部分である。図７は目地モール材４、４’のはめ込み突部２、２’の突出方向側の端部が弾性的に伸縮する部分となっており、図８、図９は目地モール材４、４’の中央部が弾性的に伸縮する部分となっている。そして、各部材が伸縮すると図７（ａ）、図８（ａ）、図９（ａ）の状態から図７（ｂ）、図８（ｂ）、図９（ｂ）のように弾性を有する４、４’がはめ込み突部２、２’の突出方向とほぼ平行な方向に伸縮して目地部分において目すきや突き上げをより確実に防止できるものである。
なお、直角に隣接する見切り材５ａ、５ｂの端部同士は４５°に切断した端部同士を突き合わせるものである。この場合、見切り材５ａ、５ｂの前面部の巾が等しい場合、見切り材５ｂの側端面の後半部から外側方に突出したはめ込み突部２’部分も上記のように端部が４５°に切断されるように、見切り材５ａ、５ｂの切断端部同士を突き合わせると図６（ａ）に示すようにはめ込み突部２’の４５°に切断した部分と見切り材５ａとの間に隙間Ｓが生じてしまう。このため、見切り材５ｂのはめ込み突部２’の前面に取付ける目地モール４’の長手方向の端部は４５°に切断せず、該目地モール４’の端部が図６（ｂ）のように見切り材５ａに当接するようにすることで上記隙間Ｓが生じないようにできるものである。このため、目地モール４’は見切り材５ｂのはめ込み突部２’の端部を４５°に切断した後にはめ込み突部２’に接着剤により取付けるのがよいものである。このような理由から壁パネル１のはめ込み突部２には工場で目地モール４を接着して取付けておくのに対して、目地モール４’は現場ではめ込み突部２’に瞬間接着剤などの接着剤により接着するようにしてもよいものである。もちろん目地モール４’をはめ込み突部２’に工場で接着しておいてもよい。
いずれにせよ、上記目地モール４、４’は壁パネル１を壁面１０に取付け施工する前に工場又は現場であらかじめ取付けておくものであり、これにより、壁パネル１、見切り材５を壁面１０に取付けるのみで同時に壁パネル１間、壁パネル１と周囲の見切り材５との目地部分が目地モール材４、４’で仕上げられた装飾性の高い装飾壁Ａを形成できるものである。
なお、上記実施形態では装飾壁Ａの下端を床面１２に位置させた例を示したが、装飾壁Ａの下端が床面１２よりも上に位置する場合には下辺に目地モール４’付きの見切り材５ｂを取付けるものである。
なお、本発明の装飾壁Ａを一部に形成する壁面１０とは壁の内装材表面であってもよく、あるいは壁の下地材表面であってもよい。
【発明の効果】
上記のように本発明の請求項１記載の発明にあっては、複数の壁パネルを並べてはめ込み突部とはめ込み段落部とをはめ込むように隣接する壁パネル同士を連結すると共にはめ込み突部に取付けた目地モール材の側面に隣接する壁パネルの側端面部の前側半部を当接し、並設した複数の壁パネルの周囲を２種類の見切り材で囲み、１種類の見切り材の側面の前側半部を隣接する壁パネルの目地モール材の側面に当接し、他の１種類の見切り材の側面の後半部を外側方に突出してはめ込み突部を形成すると共に該はめ込み突部の前面の突出基部側半部に目地モール材を取付け、はめ込み突部を隣接する壁パネルのはめ込み用段落部にはめ込むと共にはめ込み突部に取付けた目地モール材の側面に隣接する壁パネルの側端面部の前側半部を当接するので、壁パネルを複数枚並べて接続するとともに周囲を見切り材で囲む作業を行うのみで、壁パネル間、壁パネルと周囲の見切り材との目地部分に目地モール材が存在するような構成にできて、別途目地モールの現場施工が必要でなく、装飾性にすぐれた装飾壁を簡単に構成できるものである。
また、請求項２記載の発明にあっては、上記請求項１記載の発明の効果に加えて、目地モール材を弾性を有する部材により形成し、該目地モール材をはめ込み突部の突出方向とほぼ平行な方向に弾性的に伸縮可能に取付けて目地モール材の側面に隣接する壁パネルの側端面の前側半部を弾接しているので、装飾壁を構成する部材である壁パネルや見切り材が伸縮しても弾性を有する目地モール材が弾性的に伸縮して目地部分に目すきや突き上げが生じないようにできるものである。
【図面の簡単な説明】
【図１】本発明の装飾壁の正面図である。
【図２】同上の施工前の状態を示す分解正面図である。
【図３】同上の断面図である。
【図４】同上に用いる壁パネルの斜視図である。
【図５】（ａ）（ｂ）は同上に用いる２種類の見切り材を示す斜視図である。
【図６】（ａ）は同上の２種類の見切り材の端部を４５°に切断して切断した部分を直角に突き合わせた場合に隙間が生じることを説明する説明図であり、（ｂ）は目地モール材を取付けた状態のものを突き合わせた正面図である。
【図７】（ａ）（ｂ）は伸縮前の状態、伸縮後の状態を示す一例を示す説明図である。
【図８】（ａ）（ｂ）は伸縮前の状態、伸縮後の状態を示す他例を示す説明図である。
【図９】（ａ）（ｂ）は伸縮前の状態、伸縮後の状態を示す更に他例を示す説明図である。
【符号の説明】
１  壁パネル
２  はめ込み突部
２’  はめ込み突部
３  はめ込み用段落部
４  目地モール材
４’  目地モール材
５  見切り材
５ａ  見切り材
５ｂ  見切り材
【図１】
2004257094.tif 000003
【図２】
2004257094.tif 000004
【図３】
2004257094.tif 000005
【図４】
2004257094.tif 000006
【図５】
2004257094.tif 000007
【図６】
2004257094.tif 000008
【図７】
2004257094.tif 000009
【図８】
2004257094.tif 000010
【図９】
2004257094.tif 000011